(57)【要約】【課題】  成膜対象物に環状の薄膜を形成する。【解決手段】少なくとも一部に磁性材料または磁石を有するマスク（２１〜２４）を成膜対象物（１１〜１４）の一方の面に配置すると共に、成膜対象物（１１〜１４）の他方の面の近傍にマスク（２１〜２４）の磁性材料または磁石と作用する磁石または磁性体（３１〜３４）を配置してマスク（２１〜２４）を成膜対象物（１１〜１４）に接触させ、その状態で、成膜対象物（１１〜１４）のマスク（２１〜２４）が設けられた側の面に成膜材料を堆積させる。【選択図】図１
2018066987.tif 000002
【特許請求の範囲】
【請求項１】
成膜対象物に環状の薄膜を形成する環状薄膜形成方法において、
少なくとも一部に磁性材料または磁石を有するマスクを前記成膜対象物の一方の面に配置すると共に、前記成膜対象物の他方の面の近傍に前記磁性材料または磁石に作用する磁石または磁性体を配置して前記マスクを前記成膜対象物に接触させ、
その状態で、前記成膜対象物の前記一方の面に成膜材料を堆積させる
ことを特徴とする環状成膜方法。
【請求項２】
環状の薄膜を形成しようとする成膜対象物の一方の面に配置されるマスクと、
前記一方の面と逆側から前記成膜対象物を保持するホルダと、
を備え、
前記マスクはその少なくとも一部に磁性材料または磁石を有し、
前記ホルダには、前記磁性材料または磁石と作用して前記マスクを前記成膜対象物の所定の位置に配置する磁石または磁性体が設けられる
ことを特徴とする環状成膜具。
【請求項３】
請求項２記載の環状成膜具において、
前記磁石または磁性体は、前記成膜対象物に向かって磁力が１点に集中する形状である
ことを特徴とする環状成膜具。
【請求項４】
請求項３記載の環状成膜具において、
前記磁石または磁性体は、球形、棒状、または少なくとも前記成膜対象物側が半球状の形状である
ことを特徴とする環状成膜具。
【請求項５】
請求項２記載の環状成膜具において、
前記ホルダは、前記成膜対象物の中心と前記磁石または磁性体の磁力が集中する点とが一致するように前記磁石または磁性体と前記成膜対象物とを保持する構造である
ことを特徴とする環状成膜具。
【請求項６】
請求項２から５のいずれか１項に記載の環状成膜具において、
前記マスクは、その少なくとも中央に磁性材料または磁石が配置された
ことを特徴とする環状成膜具。
【請求項７】
請求項２に記載の環状成膜具において、
前記マスクは、磁性材料が前記成膜対象物の成膜対象面と平行な面内の少なくとも１方向に沿って設けられ、
前記ホルダには、ＮおよびＳの２つの磁極が前記マスクの前記磁性材料の長さに対応する間隔で設けられている
ことを特徴とする環状成膜具。
【請求項８】
請求項７に記載の環状成膜具において、
前記マスクに設けられる前記磁性材料は、前記平行な面内に実質的に円形に設けられ、
前記２つの磁極の間隔は前記円形の直径に対応している
ことを特徴とする環状成膜具。
【請求項９】
請求項２から８のいずれか１項に記載の環状成膜具において、
前記マスクは、少なくとも前記成膜対象物に接触する面の一部が、樹脂である
ことを特徴とする環状成膜具。
【請求項１０】
請求項２から９のいずれか１項に記載の環状成膜具において、
前記マスクは、周辺部が前記成膜対象物に密着する形状であって、成膜材料の堆積方向が前記成膜対象物に対して斜め方向であっても成膜できるように、周辺部に向かって薄くなるテーパ形状である
ことを特徴とする環状成膜具。
【請求項１１】
請求項２から９のいずれか１項に記載の環状成膜具において、
前記マスクは、その全体が、平坦に形成されている
ことを特徴とする環状成膜具。
【請求項１２】
請求項２から１１のいずれか１項に記載の環状成膜具において、
前記成膜対象物は樹脂レンズであり、前記マスクは、前記樹脂レンズの有効径の外側に遮光膜を成膜するための樹脂製マスクである
ことを特徴とする環状成膜具。
【請求項１３】
成膜対象物に環状の薄膜を形成するためのマスクであって、
前記成膜対象物を保持するホルダに設けられた磁石または磁性体と作用するように、少なくとも一部に磁性材料または磁石を有する
ことを特徴とする環状薄膜形成用マスク。
【請求項１４】
成膜対象物に環状の薄膜を形成するためのマスクであって、
前記成膜対象物を保持するホルダに設けられたＮおよびＳの２つの磁極と作用するように、磁性材料が前記成膜対象物の成膜対象面と平行な面内の少なくとも１方向に沿って設けられている
ことを特徴とする環状薄膜形成用マスク。
【発明の詳細な説明】
【技術分野】
【０００１】
本発明は、環状成膜方法環状成膜具および環状成膜用マスクに関する。
【背景技術】
【０００２】
撮像機器のレンズには、不要な光の入射やレンズ系内での多重反射を防止するため、有効径内に設けられる反射防止膜に加え、有効径の外側に、遮光膜が設けられる。
【０００３】
このような遮光膜は、レンズの中央部を除いて、外側だけに形成する必要がある。有効径が大きく高価なレンズであれば、手作業により膜材を塗布するウェットプロセスも可能である。一方、携帯機器等に搭載される小型カメラのレンズは、形状が小さいため手作業による塗布は困難であり、高コストになってしまう。
【０００４】
また、ウェットプロセスでは、膜厚制御性が悪く、１μｍ以上の膜厚が必要になる。このため、厚く堆積された膜の応力により樹脂レンズの面形状が変化するなどし、撮画像へ悪影響を及ぼしてしまう。
【０００５】
低コストで大量に生産するには、レンズの有効径内に遮光膜材料が堆積しないようにマスクで遮蔽した状態で、真空プロセスにより膜厚制御性良く遮光膜材料を堆積させることが望ましい。
【先行技術文献】
【特許文献】
【０００６】
【特許文献１】特開２０１５-２２５１０２号公報
【発明の概要】
【発明が解決しようとする課題】
【０００７】
真空プロセスで遮光膜を成膜する場合、遮光膜の成膜エリアが環状であるため、従来は、成膜エリア外周側と内周側を架橋するブリッジを形成して、内周側のマスクを保持する必要があった。この場合、従来の機械加工では、マスク本体とブリッジおよび外周部とを同一平面上にしか形成できず、ブリッジ幅をできるだけ細くしても、ブリッジ部分に遮光膜を成膜することはできなかった。一方、３Ｄ造形を利用することで、ブリッジをレンズから浮いた状態とし、成膜材料を回り込ませることで、環状の成膜エリア全面に膜を堆積させることができる。しかし、それでもなお、ブリッジによる影の影響は避けられず、均一膜の形成には限界があった。また、ブリッジを含むマスク形状が複雑化することで、マスクの製作難易度および製作コストが共に高く、生産性が低い課題があった。
【０００８】
本発明は、このような課題を解決し、単純な構成で精度の高い環状薄膜を成膜することのできる環状成膜方法、環状成膜具および環状成膜用マスクを提供することを目的とする。
【課題を解決するための手段】
【０００９】
本発明の第一の側面によると、成膜対象物に環状の薄膜を形成する環状薄膜形成方法において、少なくとも一部に磁性材料または磁石を有するマスクを成膜対象物の一方の面に配置すると共に、成膜対象物の他方の面の近傍にマスクの磁性材料または磁石に作用する磁石または磁性体を配置してマスクを成膜対象物に接触させ、その状態で、成膜対象物の前記一方の面に成膜材料を堆積させることを特徴とする環状成膜方法が提供される。
【００１０】
本発明の第二の側面によると、環状の薄膜を形成しようとする成膜対象物の一方の面に配置されるマスクと、前記一方の面と逆側から成膜対象物を保持するホルダと、を備え、マスクはその少なくとも一部に磁性材料または磁石を有し、ホルダには、マスクの磁性材料または磁石と作用してマスクを成膜対象物の所定の位置に配置する磁石または磁性体が設けられることを特徴とする環状成膜具が提供される。
【００１１】
ホルダに設けられる磁石または磁性体は、成膜対象物に向かって磁力が１点に集中する形状であることが望ましく、具体的には、球形、棒状、あるいは少なくとも成膜対象物側が半球状であることが望ましい。この場合、ホルダは、成膜対象物の中心とホルダの磁石または磁性体の磁力が集中する点とが一致するように磁石または磁性体と成膜対象物とを保持する構造であることが望ましい。
【００１２】
マスクには、その少なくとも中央に、磁性材料または磁石が配置される。
【００１３】
マスクには、磁性材料が、成膜対象物の成膜対象面と平行な面内の少なくとも１方向に沿って設けられてもよい。この場合、ホルダには、ＮおよびＳの２つの磁極が、マスクの磁性材料の長さに対応する間隔で設けられる。マスクに設けられる磁性材料は、成膜対象面と平行な面内に実質的に円形に設けられ、ホルダの２つの磁極の間隔は、その円形の直径に対応していることが望ましい。ここで「実質的に」とは、実用上許容される場合に、完全な円形からずれた楕円あるいは多角形でも良いことを意味する。
【００１４】
マスクは、成膜対象物が樹脂製である場合、少なくとも成膜対象物に接触する面の一部が、樹脂であることが望ましい。
【００１５】
マスクは、周辺部が成膜対象物に密着する形状であって、成膜材料の堆積方向が成膜対象物に対して斜め方向であっても成膜できるように、周辺部に向かって薄くなるテーパ形状であることが望ましい。あるいは、マスクは、その全体が平坦に形成されていてもよい。
【００１６】
本発明の第三の側面によると、成膜対象物に環状の薄膜を形成するためのマスクであって、成膜対象物を保持するホルダに設けられた磁石または磁性体と作用するように、少なくとも一部に磁性材料または磁石を有することを特徴とする環状薄膜形成用マスクが提供される。
【００１７】
本発明の第四の側面によると、成膜対象物に環状の薄膜を形成するためのマスクであって、成膜対象物を保持するホルダに設けられたＮおよびＳの２つの磁極と作用するように、磁性材料が成膜対象物の成膜対象面と平行な面内の少なくとも１方向に沿って設けられていることを特徴とする環状薄膜形成用マスクが提供される。
【００１８】
本発明は、特に樹脂レンズへの遮光膜の成膜への利用に適するが、それに限定されるものではなく、環状の薄膜を形成するどのような分野でも広く利用できる。
【発明の効果】
【００１９】
本発明によると、単純な構成で精度の高い環状薄膜を成膜することができる。成膜対象物として樹脂レンズを用い、マスクとしてレンズ面の形状に合わせ適正化されたものを用いることで、樹脂レンズの有効径の外側に高い形状精度で遮光膜を形成することができる。
【図面の簡単な説明】
【００２０】
【図１】本発明の実施形態に係る環状成膜具を示す断面図である。
【図２】成膜対象物の一例として樹脂レンズの一例を示す断面図である。
【図３】樹脂レンズの別の例を示す断面図である。
【図４】図２の樹脂レンズの一方の面に対して用いられるマスクの種々の例を示す断面図である。
【図５】図２の樹脂レンズの他方の面に対して用いられるマスクの例を示す断面図である。
【図６】図３の樹脂レンズの一方の面に対して用いられるマスクの種々の例を示す断面図である。
【図７】図３の樹脂レンズの他方の面に対して用いられるマスクの種々の例を示す断面図である。
【図８】マスクの別の例を示す断面図である。
【図９】マスクのさらに別の例を示す断面図である。
【図１０】マスクのさらに別の例を示す断面図である。
【図１１】フィルム状のマスクの構成例を示す断面図であり、磁性材料をマスクの中央だけに設けた例を示す。
【図１２】フィルム状のマスクの別の構成例を示す断面図であり、磁性材料をマスク全面に設けた例を示す。
【図１３】図１に示す実施形態の変形例であり、直径の小さい磁石を用いた例を示す断面図である。
【図１４】図１に示す実施形態の変形例であり、棒状の磁石を用いた例を示す断面図である。
【図１５】図１に示す実施形態の変形例であり、両端が球形の円柱磁石を用いた例を示す断面図である。
【図１６】図１に示す実施形態の変形例を示す断面図であり、ホルダ内にＮおよびＳの２つの磁極を配置した例を示す。
【図１７】図１６に示す例のさらなる変形例を示す断面図であり、ＮおよびＳの２つの磁極を１つの磁石で実現した例を示す。
【図１８】図１６に示す例のさらなる変形例を示す断面図であり、マスクとして平坦なものを用いた例を示す。
【図１９】図１７に示す例のさらなる変形例を示す断面図であり、マスクとして平坦なものを用いた例を示す。
【発明を実施するための形態】
【００２１】
図１は本発明実施形態に係る環状成膜具を示す断面図である。ここでは、携帯機器用の小型カメラの樹脂レンズの有効径の外側に遮光膜を成膜するための構成を例に説明する。
【００２２】
この環状成膜具は、環状の薄膜を形成しようとする成膜対象物であるレンズ１１〜１４のそれぞれ一方の面に配置されるマスク２１〜２４と、マスク２１〜２４が配置された面の逆側からレンズ１１〜１４を保持するホルダ４０とを備える。ここで、マスク２１〜２４はその少なくともその一部に磁性材料または磁石を有し、ホルダ４０には、マスク２１〜２４の磁性材料または磁石と作用してマスクを２１〜２４成膜対象物の所定の位置に配置する磁石または磁性体として、磁石３１〜３４が設けられる。磁石３１〜３４は、ホルダ４０のレンズ１１〜１４とは逆側に設けられた穴に嵌め込まれ、カバー５０により固定される。
【００２３】
マスク２１〜２４として、この実施形態では、全体が磁性材料製のもの、例えばプラスチック材料に磁性材料を分散させたものを用いる。また、磁石３１〜３４として、この実施形態では、球形のボールマグネットを使用する。磁石３１〜３４として球形のものを用いることで、中央で磁束密度が高くなり、周辺部はマスク２１〜２４から距離も大きくなり磁力が弱くなるので、マスク２１〜２４の中心位置を正確に磁石３１〜３４の中心位置に一致させることができる。レンズ１１〜１４に接触したマスク２１〜２４は、外部から何らかの力により位置がずれることがあっても、その中心が磁石３１〜３４の中心に一致するように戻り、その位置が安定に維持される。
【００２４】
成膜は、真空プロセスにより行われる。すなわち、マスク２１〜２４をレンズ１１〜１４の一方の面に配置すると共に、成膜対象物の他方の面の近傍に磁石３１〜３４を配置してマスク２１〜２４をレンズ１１〜１４に接触させ、その状態で、レンズ１１〜１４のマスク２１〜２４が配置された側の面に、成膜材料を堆積させる。
【００２５】
実用的な真空プロセスでは、真空槽内にドーム形状の回転ホルダが設けられ、この回転ホルダに、図１に示す状態の環状成膜具が多数取り付けられる。そして、回転ホルダの回転中心とはずれた位置の蒸着源から、成膜材料が蒸着される。回転ホルダが回転することで、各成膜対象物（レンズ１１〜１４）の蒸発源との位置関係が変化し、各成膜対象物に均等に成膜が施される。このとき、成膜対象物への成膜材料の堆積方向は変化し、垂直に堆積する成分はわずかである。このため、マスク２１〜２４はそれぞれ、周辺部がレンズ１１〜１４に密着する形状であって、成膜材料の堆積方向が成膜対象物に対して斜め方向であっても成膜できるように、周辺部に向かって薄くなるテーパ形状であることが望ましい。
【００２６】
図２は成膜対象物の一例を示す断面図であり、図３は別の例を示す断面図である。図２および図３は共に、樹脂レンズの構造を示す。これらの図において、筐体に保持される部分を含むレンズの外径をφ１、有効径をφ２−１，φ２−２で表す。有効径φ２−１，φ２−２の外側に遮光膜を施す。図では単純化のため有効径φ２−１，φ２−２のすぐ外側を遮光エリアとして示すが、現実には、遮光エリアは有効径φ２−１，φ２−２から少し離れて設けられる。レンズの最外周は、筐体により隠れる部分であり、遮光は不要である。有効径、遮光エリアの内径および外径はそれぞれ、一般にはレンズの両側で異なる。したがって、マスク２１〜２４の直径は、レンズ１１〜１４のそれぞれに対して、その遮光エリアの内径に合わせておく必要がある。
【００２７】
図４は、図２の樹脂レンズの一方の面に対して用いられるマスクの種々の例を示す断面図である。これらの例は、図１にレンズ１１およびマスク２１として示したものと同等またはその変形である。図４（Ａ）は、マスクを２１ａとして示しているが、図１のマスク２１と同等のものである。このマスク２１ａは、レンズ１１の凹面に合わせて凸形状となっており、周辺部が、レンズ１１に接する形状となっている。この例では、マスク２１ａのレンズ１１とは反対側に、四角で示す部分が設けられている。これは、製造上および取り扱い上の理由によるもので、成膜そのものに関連するものではない。以下の例も同様である。図４（Ｂ）に示すマスク２１ｂは、レンズ１１に面する側が平坦となっている。図４（Ｃ）に示すマスク２１ｃは、マスク２１ｂの中央に凸部を設けたものである。この凸部は、磁石からの磁力が集中し、位置決め精度を高めることができる。図４（Ｄ）に示すマスク２１ｄは、周辺部に突出部が設けられている。図４（Ｅ）に示すマスク２１ｅは、図４（Ｄ）示すマスク２１ｄの中央部に、マスク２１ｃと同様の凸部を設けたものである。
【００２８】
図５は、図２の樹脂レンズの他方の面に対して用いられるマスクの例を示す断面図である。これらの例は、図１にレンズ１２およびマスク２２として示したものと同等またはその変形である。図５（Ａ）は、マスクを２２ａとして示しているが、図１のマスク２２と同等のものである。このマスク２２ａは、レンズ１２の凸面に合わせて凹形状となっており、周辺部が、レンズ１２に接する形状となっている。図５（Ｂ）に示すマスク２２ｂは、マスク２１ｄと同等の形状をもち、レンズ１２に面する面が平坦であって、周辺部に突出部が設けられている。
【００２９】
図６は、図３の樹脂レンズの一方の面に対して用いられるマスクの種々の例を示す断面図である。これらの例は、図１にレンズ１３およびマスク２３として示したものと同等またはその変形である。図６（Ａ）は、マスクを２３ａとして示しているが、図１のマスク２３と同等のものである。このマスク２３ａは、レンズ１３の凹面に合わせて凸形状となっており、周辺部が、レンズ１３に接する形状となっている。図６（Ｂ）に示すマスク２３ｂは、レンズ１３に面する側が平坦となっている。図６（Ｃ）に示すマスク２３ｃは、マスク２３ｂの中央に凸部を設けたものである。図６（Ｄ）に示すマスク２３ｄは、周辺部に突出部が設けられている。図６（Ｅ）に示すマスク２３ｅは、図６（Ｄ）示すマスク２３ｄの中央部に、マスク２３ｃと同様の凸部を設けたものである。
【００３０】
図７は、図３の樹脂レンズの他方の面に対して用いられるマスクの種々の例を示す断面図である。これらの例は、図１にレンズ１４およびマスク２４として示したものと同等またはその変形である。図７（Ａ）は、マスクを２４ａとして示しているが、図１のマスク２４と同等のものである。このマスク２４ａは、レンズ１４の面が平面であるのに対し凹形状となっており、周辺部が、レンズ１４に接する形状となっている。図７（Ｂ）に示すマスク２４ｂは、マスク２４ａの中央に凸部を設けたものである。図７（Ｃ）に示すマスク２４ｃは、マスク２１ｂ，２３ｂと同様に、レンズ１３に面する側が平坦となっている。図７（Ｄ）に示すマスク２４ｄは、マスク２２ｂ，２３ｄと同様に、レンズ１３に面する面が平坦であって、周辺部に突出部が設けられている。図７（Ｅ）に示すマスク２４ｅは、マスク２１ｅ，２３ｅと同様に、マスク２４ｃの中央部に、凸部を設けたものである。
【００３１】
以上に示したマスクの材料としては、磁性材料であればどのようなものでも良い。例えば、樹脂レンズ成型の廃材を利用し、それに磁性体を混ぜて成型したものを用いることもできる。レンズの成型時には、どうしても余分な部分が生じてしまう。これをマスクの材料として再利用することができる。
【００３２】
以上の説明では、マスク全体が磁性材料製であるものとしたが、マスクの一部だけが磁性材料製であってもよい。また、磁性特性の異なる材料を組み合わせて用いることもできる。例えば、非磁性材料製のマスクの中心に磁性材料を埋め込んでもよく、マスクの中心に磁性材料を埋め込むと共に、そのマスクの表面、特にレンズ側の面に、磁性材料部を設けてもよい。磁性材料製のマスクに対して、特性の異なる磁性材料を埋め込んだり、表面に磁性材料部を設けることもできる。さらに、非磁性材料製または磁性材料製のマスクに、磁石３１〜３４と互いに引き合う極性で磁石を埋め込んだり、同様の極性で表面に磁石を設けることもできる。さらに、マスクの少なくとも一部を磁石とする場合、磁石３１〜３４の代わりに、磁性体を用いることもできる。
【００３３】
図８から図１０はそれぞれ、非磁性材料製または磁性材料製のマスクに、磁石３１〜３４と互いに引き合う極性で磁石を埋め込んだ例を示す断面図である。図８は、マスクの中心に棒状の磁石を設けた構成を示し、図９は、マスクの中心だけでなく成膜対象物に面する面にも磁石を設けた構成を示し、図１０は、マスクの中心の成膜対象物側にのみ磁石を設けた構成を示す。
【００３４】
図８（Ａ）に示すマスク２５ａは、成膜対象物に面する面が平坦で、その中心に凸部が設けられ、そこに、棒状の磁石２０１が埋め込まれている。また、図８（Ｂ）に示すマスク２５ｂは、周辺部が突出した形状をもち、中心には凸部が設けられ、その凸部の部分に、棒状の磁石２０１が埋め込まれている。図では成膜対象物側をＳ極として示すが、これは対向する磁石の磁極がＮ極と仮定したもので、磁石側がＳ極であれば、当然に、磁石２０１の成膜対象物側はＮ極とする。
【００３５】
図９（Ａ）に示すマスク２６ａは、図８（Ａ）に示すマスク２５ａと同等の形状であるが、成膜対象物に面する面にも磁石２０２が設けられていることが異なる。また、図９（Ｂ）に示すマスク２６ｂは、図８（Ｂ）に示すマスク２５ｂと同等の形状であるが、成膜対象物に面する面にも磁石２０２が設けられていることが異なる。
【００３６】
図１０（Ａ）に示すマスク２７ａは、成膜対象物に面する側が平坦で、その面の表面部分だけに磁石２０３が設けられていることが、図８（Ａ）に示すマスク２５ａと異なる。図１０（Ｂ）に示すマスク２７ｂは、成膜対象物に面する側が凹面となっていることが、図１０（Ａ）に示すマスク２７ａと異なる。
【００３７】
図８から図１０にそれぞれ示した構造において、マスク本体が磁性材料または非磁性材料のいずれの場合でも、磁石２０１、２０２、２０３に代えて、マスク本体の材料とは異なる磁性材料を用いることもできる。マスク２５ａ、２５ｂ、２６ａ、２６ｂ、２７ａのレンズ側表面を、例えばフッ素樹脂などの軟性材を用いて表面処理することにより、成膜対象物の表面に傷がつくことを防止することができる。実施形態では、非磁性材料として樹脂を用いるものとするが、材料は適宜選択すればよい。
【００３８】
以上の説明では、逆円錐マスクを例に説明したが、マスク形状をフィルム状の平坦なものとすることもできる。「フィルム状」とはいえ、マスクとしての形状維持が可能な厚みはあるものとする。マスクは１回の成膜にしか使えない消耗品のため、フィルムで作成できれば、コストは安くできる。
【００３９】
図１１は、フィルム状のマスクの構成例を示す断面図であり、磁性材料をマスクの中央だけに設けた例を示す。図１１（Ａ）に示すマスク２８Ａは、磁性材料２８１を２枚の非磁性材フィルム２８２で挟んだ構造を有する。磁性材料２８１は、非磁性材フィルムの中心に配置される。磁性材料２８１を非磁性材フィルム２８２の中央のみに設けることにより、マスク２８ａを所定の位置および向きで固定することができる。図１１（Ｂ）に示すマスク２８ｂは、図１１（Ａ）に示すマスク２８ａの成膜対象物側とは反対側の非磁性材フィルム２８２を省略した例を示す。レンズ側の非磁性材フィルム２８２は、例えばその材料として樹脂を用いることで、磁性材料１８１として硬質のものを用いた場合でも、成膜対象物の表面に傷がつくのを防止することができる。
【００４０】
図１２は、フィルム状のマスクの別の構成例を示す断面図であり、磁性材料をマスク全面に設けた例を示す。図１２（Ａ）に示すマスク２９ａは、磁性材料２９１を２枚の非磁性材フィルム２９２で挟んだ構造を有する。磁性材料２９１はマスク２９ａの全面に設けられる。図１１に示した例に比べると、成膜対象物に対するマスク２８ｂの位置決めが難しくなる可能性はあるが、製造は容易になる。図１２（Ｂ）に示すマスク２９ｂは、図１２（Ａ）に示すマスク２９ａの成膜対象物側とは反対側の非磁性材フィルム２９２を省略した例を示す。図１２（Ｃ）に示すマスク２９ｃは、全体をフィルム状の磁性材料２９１で形成したものである。非磁性材フィルム２８２，２９２のうち少なくとも成膜対象側のものについては、例えば樹脂を用いることが望ましい。樹脂を用いることで、磁性材料２８１，２９１として硬質のものを用いた場合でも、成膜対象物の表面に傷がつくことを防止することができる。図１２（Ｃ）に示すマスク２９ｃの磁性材料２９１としては、成膜対象物を傷つけるものでなければ、どのような材料を用いてもよい。
【００４１】
図１３は、図１に示す実施形態の変形例を示す断面図であり、図１におけるレンズ１１、１２に関連する部分のみを示す。この例では、磁石３１，３１の代わりに、直径の小さい磁石３１ａ，３２ａを用いる。磁力が低下する可能性はあるが、中心位置精度は高くなる。
【００４２】
図１４は、図１に示す実施形態の変形例を示す断面図であり、棒状の磁石３１ｂ，３２ｂを用いた例を示す。細長い磁石３１ｂ，３２ｂを用いることで、磁力を保ちながら、中心位置精度を高くすることができる。
【００４３】
図１５は図１に示す実施形態の変形例を示す断面図であり、円柱上で両端が球形の、すなわち薬用カプセル形の磁石３１ｃ，３２ｃを用いた例を示す。
【００４４】
また、例えば図８から図１０に示すようにマスクに磁石２５ａ，２６ａ，２７ｂ，２８ｂを設ける場合、あるいは図１１、図１２に示す磁性材料２８１，２９１として磁石を用いる場合は、対向する磁石３１〜３４，３１ａ〜３１ｃ，３２ａ〜３２ｃの代わりに、磁性体を用いることもできる。
【００４５】
図１６は、図１に示す実施形態の変形例を示す断面図であり、ホルダ内にＮおよびＳの２つの磁極を配置した例を示す。この図では、明確さのため、ホルダ部分のハッチングを省略している。
【００４６】
マスク（ここでは、マスク２１，２２のみを示す）の各々に対してホルダ内の磁極が１つの場合、磁力やマスクの形状およびマスクの重さにもよるが、マスクが裏返しになって磁石に引きつけられたり、マスクの縁の部分に磁力が集中して、マスクが立った状態で成膜対象物に接する可能性がある。そこで、図１６に示す例では、マスク２１，２２に対して、それぞれ磁石３１１と３１２、磁石３２１と３２２を用いる。この場合、マスク２１，２２には、ホルダに設けられたＮおよびＳの２つの磁極と作用するように、磁性材料が、成膜対象物の成膜対象面と平行な面内の少なくとも１方向に沿って、望ましくはその面内に実質的に円形に、設けられる。ホルダには、マスク２１に対して磁石３１１，３１２によるＮおよびＳの２つの磁極が、マスク２２に対して磁石３２１，３２２によるＮおよびＳの２つの磁極が、それぞれ設けられる。
【００４７】
２つの磁極の間隔は、マスク２１，２２内の磁性材料の長さに対応していることが望ましい。例えばマスク２１，２２の全体に磁性材料が分散している場合、磁石３１１，３１２の間隔がマスク２１の直径と、磁石３２１，３２２の間隔がマスク２２の直径と、それぞれ等しいことが望ましい。これは、磁力線が、磁石３１１，３１２の内側エッジおよび磁石３２１，３２２の内側エッジにそれぞれ集中し、マスク２１，２２を正確に所望の位置に配置できるからである。
【００４８】
とはいえ、実用的には、図２，図３を参照して説明したように、マスク２１，２２に要求される直径は、成膜対象物となるレンズの有効径によって異なる。このため、同じホルダを使用する場合でも、異なる直径のマスクをマスク２１，２２として使用することがある。マスクの直径が異なる場合でも、そのマスクに含まれる磁性材料部分の長さまたは直径が一定であれば、磁極の間隔が固定でもマスクを常に最適な位置に配置することができる。しかし、マスクを安価に製造するには、マスク全体に磁性材料を分散させることが望ましい。その場合、磁石の間隔は、誤差許容範囲を考慮して設定される。磁石の間隔がマスクの直径より小さい方が、大きい場合に比べて、マスクを適切な位置に配置できると考えられる。
【００４９】
図１７は、図１６に示す例のさらなる変形例であり、ＮおよびＳの２つの磁極を１つの磁石３１３，３２３で実現した例を示す断面図である。磁石３１３，３２３の長さ（図面横方向）は、それぞれマスク２１，２２の直径に対応している。磁石３１３，３２３は、それぞれ図面横方向に長い棒磁石でもよく、円形でその面内の両端がＮ，Ｓとなっている磁石や、Ｕ字磁石のようなものでもよい。
【００５０】
図１８および図１９は、それぞれ図１６および図１７に示す例のさらなる変形例を示す断面図である。これらの例では、逆円錐形のマスク２１、２２に代えて、全体が平坦なマスク２１１、２２１を用いている。マスク２１１、２２１には磁性材料である金属板を用いるものとするが、磁性材料を平坦に成形したものや、例えば図１２に示したように、樹脂製フィルムに磁性材料を取り付けたものであってもよい。実施例では平坦なマスクを用いるが、レンズ１２に沿うように磁性材料を曲げ加工したマスクであってもよい。マスク２１１、２２１のレンズ１２に接触する面は樹脂面であることが望ましく、金属板の表面を樹脂でコーティングしてもよい。
【００５１】
なお、図１８および図１９の各々右側の例では、マスク２２１が平坦であることを明確にするため、マスク２２１の方向に凸となっているレンズ１２に対して、マスク２２１の端部がレンズ１２から浮くものとして示している。マスク２２１を可撓性のある材料で形成することで、マスク２２１をレンズ１２の形状に沿って撓ませることができ、レンズ１２に密着させるようにすることもできる。
【００５２】
以上の実施形態によれば、環状成膜エリア全面を成膜源に露出することが可能となるため、均一な遮光膜を形成することができる効果がある。また、マスクを所望の位置に精度よく固定保持することで、高い形状精度で遮光膜を成膜することができる。さらに、ブリッジを有しない構造のため、マスクの製作難易度、製作コストを共に向上させ、生産性向上に寄与することができる。
【００５３】
以上の説明では樹脂レンズに遮光膜を成膜する場合を例に説明したが、本発明は、他の環状膜の成膜にも同様に利用することができる。
【符号の説明】
【００５４】
１１〜１４、レンズ
２１〜２４，２１ａ〜２１ｅ，２２ａ，２２ｂ，２３ａ〜２３ｅ，２４ａ〜２４ｅ，２５ａ，２５ｂ，２６ａ，２６ｂ，２７ａ，２７ｂ，２８ａ，２８ｂ，２９ａ〜２９ｃ，２１１，２２１  マスク
３１〜３４，２５ａ，２６ａ，２７ｂ，２８ｂ，３１ａ，３２ｂ，３１ｂ，３２ｂ，３１ｃ，３２ｃ，３１１，３１２，３２１，３２２，３１３，３２３  磁石
４０  ホルダ
５０  カバー
【図１】
2018066987.tif 000003
【図２】
2018066987.tif 000004
【図３】
2018066987.tif 000005
【図４】
2018066987.tif 000006
【図５】
2018066987.tif 000007
【図６】
2018066987.tif 000008
【図７】
2018066987.tif 000009
【図８】
2018066987.tif 000010
【図９】
2018066987.tif 000011
【図１０】
2018066987.tif 000012
【図１１】
2018066987.tif 000013
【図１２】
2018066987.tif 000014
【図１３】
2018066987.tif 000015
【図１４】
2018066987.tif 000016
【図１５】
2018066987.tif 000017
【図１６】
2018066987.tif 000018
【図１７】
2018066987.tif 000019
【図１８】
2018066987.tif 000020
【図１９】
2018066987.tif 000021